(57)【要約】      （修正有）【課題】光を側方へ分布させたいという各種道路の照明の要求に適合させることができ、被照射領域の照度を更に均一にする、超高パワーの広角度反射体構造を提供する。【解決手段】反射カップ１と、金属ヒートシンクと、導熱ベース３とによって構成する。反射カップ内には光反射部材が設けられ、光反射部材４は曲面を有し、ＬＥＤの正面に発光する特性による中間の強すぎる光線を、光反射部材の曲面により横に反射させる。反射カップには傾斜をもつ出光面１２が設けられ、それにより、光線は大きな角度で射出され、光線の全反射が生じず、光が損失しない。また、出光面には射出角度が調整可能な屈折体が設けられ、屈折体は、屈折角度が０の平面にする、或いは、異なる角度の斜面或いは異なる角度の曲面によって形成する複数の幾何形状突出部材５１を設けることにより、様々な屈折角度を得て、様々な射出角度を実現する。【選択図】図１
0003161276.tif 000002
【実用新案登録請求の範囲】
【請求項１】
反射カップと、金属ヒートシンクと、導熱ベースとによって構成する超高パワーの広角度反射体構造において、
反射カップ内には光反射部材が設けられ、光反射部材は曲面を有し、ＬＥＤの正面に発光する特性による中間の強すぎる光線を、光反射部材の曲面により横に反射させ、
また、反射カップには傾斜をもつ出光面が設けられ、出光面には射出角度が調整可能な屈折体が設けられ、
屈折体は、屈折角度が０の平面にする、或いは、異なる角度の斜面或いは異なる角度の曲面によって形成する複数の幾何形状突出部材を設けることで、様々な屈折角度を達成し、それにより様々な射出角度を実現することを特徴とする、超高パワーの広角度反射体構造。
【請求項２】
前記反射カップ内部は高反射率表面であることを特徴とする、請求項１に記載の超高パワーの広角度反射体構造。
【考案の詳細な説明】
【技術分野】
【０００１】
本考案は超高パワーの広角度反射体構造に関し、詳しく言うと、反射カップに傾斜をもつ出光面を設けるとともに、出光面に射出角度が調整可能な屈折体を設けることで、光を側方へ分布させたいという各種道路の照明の要求に適合させることができ、被照射領域の照度を更に均一にする、超高パワーの広角度反射体構造に関する。
【背景技術】
【０００２】
従来のＬＥＤランプは、例えば中華民国９７年１２月２１日公告第Ｍ３４７６８０号「超高パワーのパッケージ構造」に開示されているように、その金属ヒートシンクの外縁にＬＥＤの平面発光特性に対応する反射カップが設けられ、反射カップ内に光反射曲面が設けられ、光の曲率を変えることにより、様々な光の投射分布を得ている。また、中華民国第９８２０４１９６号の「幅広反射体構造」においては、反射カップ内に光反射部材が設けられ、光反射部材は曲面を有し、ＬＥＤの正面に発光する特性による中間の強すぎる光線を、光反射部材の曲面により横に反射させ、光の照射領域の幅を大きくしている。しかし、上述の二つの反射カップの出光口は水平面であり、出光口に設けられた鏡面によって一部の光が全反射を起こしやすく、反射カップの側壁面が照射された光線を遮るため、照射角度が狭くなり、輝度が低く、発光効率も悪い。以上の問題点に鑑み、上述の欠点を以下に取り除くかが、本考案者が解決しようとする課題である。
【先行技術文献】
【特許文献】
【０００３】
【特許文献１】中華民国特許第Ｍ３４７６８０号明細書
【特許文献２】中華民国特許第９８２０４１９６号明細書
【考案の概要】
【考案が解決しようとする課題】
【０００４】
本考案は、反射カップに傾斜をもつ出光面を設けるとともに、出光面に射出角度が調整可能な屈折体を設けることで、光を側方へ分布させたいという各種道路の照明の要求に適合させることができ、被照射領域の照度を更に均一にする、超高パワーの広角度反射体構造を提供することを目的とする。
【課題を解決するための手段】
【０００５】
上述の目的を達成するために、本考案による超高パワーの広角度反射体構造は、反射カップと、金属ヒートシンクと、導熱ベースとによって構成する。反射カップ内には光反射部材が設けられ、光反射部材は曲面を有し、ＬＥＤの正面に発光する特性による中間の強すぎる光線を、光反射部材の曲面により横に反射させる。反射カップには傾斜をもつ出光面が設けられ、それにより、光線は大きな角度で射出され、光線の全反射が生じず、光が損失しない。また、出光面には射出角度が調整可能な屈折体が設けられ、屈折体は、屈折角度が０の平面にする、或いは、異なる角度の斜面或いは異なる角度の曲面によって形成する複数の幾何形状突出部材を設けることにより、様々な屈折角度を得て、様々な射出角度を実現して、光を側方へ分布させたいという要求に適合させることができ、被照射領域の照度を更に均一にし、高い発光効率、省エネを達成し、様々な照明規格の要求に応えることができる。
【図面の簡単な説明】
【０００６】
【図１】本考案の実施例１の外観を示す斜視図である。
【図２】本考案の実施例１の構成を示す分解図である。
【図３】本考案の実施例１の断面図である。
【図４】本考案の実施例２の外観を示す斜視図である。
【考案を実施するための形態】
【０００７】
（実施例１）
図１及び図２に示すように、本考案による超高パワーの広角度反射体構造は、反射カップ１と、金属ヒートシンク２と、導熱ベース３とによって構成する。反射カップ１内部は高反射率表面１１であり、反射カップ１内には光反射部材４が設けられ、光反射部材４は曲面４１をもち、ＬＥＤの正面に発光する特性による中間の強すぎる光線を、光反射部材４の曲面４１により横に反射させる。反射カップ１には傾斜をもつ出光面１２が設けられ、光線は高反射率表面１１にぶつからずに、大きな角度で射出され、光線の全反射が生じず、光が損失しない。また、出光面１２上には、射出角度が調整可能な屈折体５が設けられ、屈折体５は、異なる角度の斜面によって形成される複数の幾何形状突出部材５１を具え、異なる屈折角度を得ることができる。
【０００８】
図３に示すように、本考案による超高パワーの広角度反射体構造の反射カップ１内の光線の一部は、光反射部材４によって出光面１２に反射され、残りの光線は、出光面１２の屈折体５によって屈折し、射出角度を大幅に広げ、光を側方へ分布させたいという要求に適応させることができ、被照射領域の照度を更に均一にする。また、本考案の傾斜をもつ出光面１２の設計では、入射角は全反射の臨界角度よりずっと小さく、光線が屈折体５を通過しやすく、光線の一部が全反射を起こさず、光が損失するのを防ぐことができる。従って、照明器具として使用した時に、効果的に輝度を向上させることができるとともに、高い発光効率と省エネを達成し、照明規格の要求に適合する。
【０００９】
（実施例２）
図４に示すように、本考案の実施例２による超高パワーの広角度反射体構造の反射カップ１には、傾斜をもつ出光面１２が設けられ、光線が大きな角度で射出され光線の全反射が生じず、光が損失しない。また、出光面１２上には、射出角度が調整可能な屈折体６が設けられ、屈折体６の表面は、屈折角度が０の平面である。
【符号の説明】
【００１０】
１  反射カップ
２  金属ヒートシンク  
３  導熱ベース  
４  光反射部材  
５、６  屈折体  
１１    高反射率表面
１２    出光面
４１    曲面  
５１    幾何形状突出部材
【図１】
0003161276.tif 000003
【図２】
0003161276.tif 000004
【図３】
0003161276.tif 000005
【図４】
0003161276.tif 000006
【手続補正書】
【提出日】平成22年5月14日(2010.5.14)
【手続補正１】
【補正対象書類名】実用新案登録請求の範囲
【補正対象項目名】請求項１
【補正方法】変更
【補正の内容】
【請求項１】
反射カップと、金属ヒートシンクと、導熱ベースとによって構成する超高パワーの広角度反射体構造において、
導熱ベースは反射カップの下面に設けられ、金属ヒートシンクは導熱ベース内に設けられ、
反射カップ内には光反射部材が設けられ、光反射部材は曲面を有し、
また、反射カップには傾斜をもつ出光面が設けられ、出光面には射出角度が調整可能な屈折体が設けられ、
屈折体の表面は、平面であるか、或いは、所定の角度の斜面をもつ複数の幾何形状突出部材を備えるかのいずれかであることを特徴とする、超高パワーの広角度反射体構造。
【手続補正２】
【補正対象書類名】明細書
【補正対象項目名】０００５
【補正方法】変更
【補正の内容】
【０００５】
上述の目的を達成するために、本考案による超高パワーの広角度反射体構造は、反射カップと、金属ヒートシンクと、導熱ベースとによって構成する。導熱ベースは反射カップの下面に設けられ、金属ヒートシンクは導熱ベース内に設けられる。反射カップ内には光反射部材が設けられ、光反射部材は曲面を有する。反射カップには傾斜をもつ出光面が設けられる。また、出光面には射出角度が調整可能な屈折体が設けられ、屈折体の表面は、平面であるか、或いは、所定の角度の斜面をもつ複数の幾何形状突出部材を備えるかのいずれかである。
【手続補正３】
【補正対象書類名】明細書
【補正対象項目名】０００７
【補正方法】変更
【補正の内容】
【０００７】
図１及び図２に示すように、本考案による超高パワーの広角度反射体構造は、反射カップ１と、金属ヒートシンク２と、導熱ベース３とによって構成する。導熱ベース３は反射カップ１の下面に設けられ、金属ヒートシンク２は導熱ベース３内に設けられる。反射カップ１内部は高反射率表面１１であり、反射カップ１内には光反射部材４が設けられ、光反射部材４は曲面４１をもち、ＬＥＤの正面に発光する特性による中間の強すぎる光線を、光反射部材４の曲面４１により横に反射させる。反射カップ１には傾斜をもつ出光面１２が設けられ、光線は高反射率表面１１にぶつからずに、大きな角度で射出され、光線の全反射が生じず、光が損失しない。また、出光面１２上には、射出角度が調整可能な屈折体５が設けられ、屈折体５は、所定の角度の斜面をもつ複数の幾何形状突出部材５１を具え、異なる屈折角度を得ることができる。